(57)【要約】      （修正有）【課題】携帯用ステープラの後端側開口部を確実に閉塞し、外観体裁の良好なステープラを提供する。【解決手段】後端側の基部において互いに回動自在に枢着した基枠１と操作枠６とを備え、これら両枠の間に針収容枠５を介在させた携帯用ステープラにおいて、弾性変形可能な素材によって背面側方向に膨出させた弯曲状の套装片１５を構成し、該套装片１５の基端部を、前記基枠１の基部に止着すると共に、先端側を自由端として前記操作枠の内側に嵌挿する。【選択図】図１
2006102850.tif 000002
【特許請求の範囲】
【請求項１】
後端側の基部において互いに回動自在に枢着した基枠と操作枠とを備え、これら両枠の間に針収容枠を介在させた携帯用ステープラにおいて、弾性変形可能な素材によって背面側方向に膨出させた弯曲状の套装片を構成し、該套装片の基端部を、前記基枠の基部に止着すると共に、先端側を自由端として前記操作枠の内側に嵌挿した、携帯用ステープラ後側開口部の閉塞装置。
【発明の詳細な説明】
【技術分野】
【０００１】
本発明は、先端側を自由端として後端側の基部において互いに回動自在に枢着した針受枠と操作枠とを備え、これら両枠間に針収容枠を介在させた携帯用ステープラの後側開口部の閉塞装置に関するものである。
【背景技術】
【０００２】
針受枠と操作枠を、後端側の基部において互いに回動自在に枢着し、これら両枠間に介在させた針収容枠に装填した綴り針を、前記操作枠の操作によって１本宛押出し、該綴り針の先端を前記針受枠の先端側に装置した針受盤に圧接するようにして紙葉を綴り込むようにした携帯用ステープラは具体例を挙げるまでもなく公知である。
【０００３】
該ステープラは、支軸によって後端側の基部を互いに組付け、針収容枠に綴り針を装填する際に針収容枠の上面側を開放状態におく必要があるため、操作枠を支軸を中心に後方へ反転させなければならない構造になっている。
【発明の開示】
【発明が解決しようとする課題】
【０００４】
前記従来のステープラは、使用時において後端側の操作枠等の各枠の間を開放した状態のままにしてあるので、すなわち、後端側に開口部が存するので、例えば、前記のように操作枠を後方に反転させたとき、不注意によって指先を挟まれたりするおそれがあり、また、該開放した状態は外観体裁が良好ともいえない。
【０００５】
本発明は従来の携帯用ステープラの斯様な欠点を除去し、従来のステープラと較べ安全で、外観体裁の良好なステープラを提供すべく創案したものである。
【課題を解決するための手段】
【０００６】
後端側の基部において互いに回動自在に枢着した基枠と操作枠とを備え、これら両枠の間に針収容枠を介在させた携帯用ステープラにおいて、弾性変形可能な素材によって背面側方向に膨出させた弯曲状の套装片を構成し、該套装片の基端部を、前記基枠の基部に止着すると共に、先端側を自由端として前記操作枠の内側に嵌挿した構成としたものである。
【発明の効果】
【０００７】
本発明によれば、事務用ステープラの後端側の開口部は閉塞片によって確実に套装され、針収容枠への綴り針装填時に行われる操作枠の反転操作も不都合なく行われ、かつ、操作枠等の各枠間で指先を挟まれることは全くなく、外観体裁が良好な携帯用ステープラを提供できる。
【実施例】
【０００８】
図面は本発明に係る携帯用ステープラの後側開口部の閉塞装置の一実施例を示し、図１は一部を省略して示した縦断面図、図２は図１の側面図、図３は套装片の斜視図である。
【０００９】
図中、１は先端に針受盤２を備えた基枠で、基枠１の後端に支持部片１ａ，１ａを相対して立設し、該支持部片１ａ，１ａに、主軸３によって針収容枠４と針操作枠５を後端部において回動自在に枢着すると共に、操作枠６を後端部において前記主軸３より上方に配した軸７，７によって回動自在に枢着してある。
【００１０】
前記針収容枠４は、押送子８を摺嵌して綴り針を先端の排出口９へ送り込むようにしたもので、後部側に前記基枠１の後部との間に介するようにして配した復帰スプリング１０によって基枠１（針受盤２）との間隙（紙葉を介在させるための）を保持するようにしてあり、また、針操作枠５は、先端に針圧下鈑１１を備えた本体枠５Ａと該本体枠５Ａの内側に配した補助枠５Ｂ（針押えとなる）とで成り、両枠５Ａ，５Ｂとの間に前記復帰スプリング１０よりばね性の強い第二復帰スプリング１２を備えたもので、前記本体枠５Ａの前後方向の中間部に該本体枠５Ａ上に配した仲介片１３の一端を第一接続軸１６で回動自在に枢着する一方、該枢着部より前方側の上部片５Ａ´部分に横長の受止孔１４を設け、これに套装片１５の先端が係止するようにしてある。
【００１１】
仲介片１３は、中央部片１３ｂに側部片１３ａ，１３ａを相対して連設したもので、側部片１３ａ，１３ａ間に前記針操作枠５（本体枠５Ａ）の中間部を介在させるように側部片１３ａにおいて一端側を、前記の通り、針操作枠５の本体枠５Ａに第一接続軸１６で回動自在に枢着し、他の一端側は前記側部片１３ａ（の他の一端）において第二接続軸１７で前記操作枠６に回動自在に枢着したものである。
【００１２】
操作枠６は、基枠１と同様金属板を屈曲して構成した主体枠と該主体枠の表面を套装するようにして配した合成樹脂製の化粧枠とで構成し、中央部片６ａと該中央部片６ａの長手方向（先端方向）に沿って相対設した側部片６ｂ，６ｂで成り、側部片６ｂの後端部を、前記の通り、軸７で基枠１の支持部片１ａにかしめ止めする一方、側部片６ｂの中間部に仲介片１３の前記側部片１３ａを第二接続軸１７で前記の通り接続したものである。
【００１３】
前記套装片１５は、板厚方向に弾性変形可能な硬質の合成樹脂で成り、背面側方向に膨出させ、中間部に反転方向（背面側方向）に屈曲変形可能にヒンジ部２３を備えた、弯曲状の主体片１５ａの長手方向の一端側である基端に連設した水平部片１５ｂの両側に側部片１５ｃ，１５ｃを相対設し、該側部片１５ｃの外面に突子１８を設けると共に、前記主体片１５ａの長手方向の他の一端の先端側の中央部位に舌状の係止部片１５ｄを折り曲げ状に突設して構成したもので、前記水平部片１５ｂ側を、前記基枠１の支持部片１ａ，１ａに嵌装させ、該支持部片１ａに設けた透孔１９に突子１８を係止させて基端側を基枠１の後端部に止着し、前記係止部片１５ｄ側の、自由端となる他の一端を、前記操作枠６の中央部片６ａの内側に嵌挿し、主体片１５ａの背面の長手方向に沿う中央に、前記ヒンジ部２３より先端側にして設けた条溝２１に操作枠６の前記中央部片６ａの設けた案内突子２２を係合させるようにして基枠１の支持部片１ａ，１ａ間の間隙ａ´と操作枠６の側部片６ｂ，６ｂ間の間隙ａ´´とが互いに連通して構成する後部開口部ａを閉塞したものである。
【００１４】
また、套装片１５は主体片１５ａの各部が前記支持部片１ａ，１ａ間の間隙ａ´又は側部片６ｂ，６ｂ間の間隙ａ´´の間隙幅（内径幅）とほぼ一致する幅員を備えて間隙ａ´，ａ´´又は開口部ａを套装（蓋）するものであるが、長手方向に沿う両端が間隙ａ´，ａ´´（開口部ａ）を構成する支持部片１ａ又は側部片６ｂの内縁に接する程に前記間隙幅と前記幅は一致していなくとも良いことは勿論で、要は、指先が開口部ａ内に入るのを防ぎ、また、外観体裁上満足できれば良いのである。
【００１５】
開口部ａ（間隙ａ´，ａ´´）を套装片１５によって套装した状態は、該套装片１５の、保形的に加工した前記膨出弯曲形状と係止部片１５ｄ側の一端が操作枠６の中央部片６ａの後端下面に板厚方向の弾性による圧接によって保持される。
【００１６】
また、前記操作枠６の中央部片６ａの下（面）側には、套装片１５の係止部片１５ｄ側の一端が相対的に移動（通過）するに充分な移動路（間隙）２０が形成され（実施例では、操作枠６と仲介片１３又は針操作枠５との間ということになる）、この移動路２０のいわば先端位置に前記受止孔１４が位置して前記係止部片１５ｄがこれに係止する配置関係にしてある。
【００１７】
しかして、図１において、軸７を中心にして操作枠６の先端側を基枠１方向に押下すると、操作枠６は仲介片１３を介して針操作枠５を押圧し、この押圧を受けて針操作枠５は主軸３を中心に回動降下しようとするが、第二復帰スプリング１２より復帰スプリング１０の方がばね性が弱いため、前記の押圧力は該復帰スプリング１０に現われてこれを縮小させ、この結果、針操作枠５（補助枠５Ｂ）に押される形で針収容枠４は主軸３を中心に回動降下し、基枠１（針受盤２）との間で被綴り込み体である紙葉を挟持することになる。
【００１８】
そして、操作枠６の前記回動降下操作を継続すると、針操作枠５には第二復帰スプリング１２の弾性よりも強い力が仲介片１３を介して負荷されるので、該第二復帰スプリング１２は縮小し、該縮小に伴う押圧力が針圧下鈑１１に現われて、針圧下鈑１１は針収容枠４中の綴り針を排出口９から打出し、針収容枠４と基枠１とで挟持した紙葉を貫通させ、これを針受盤２に押圧し、紙葉の綴り込み操作が行われる。
【００１９】
この一連の動作において、操作枠６はその先端側が針収容枠４等を介して基枠１方向に押圧されることにより後端側の軸７を支点にして回動するのであるが、その押圧（回動）操作が前記先端側と軸７の間の、仲介片１３の接続部（第二接続軸１７）に作用点となって現われ、いわばてこの原理によって操作枠６に対する軽い押圧力が針操作枠５等に大きな押下力となって現われ、針の綴り込み操作を簡便に行えるのである。また、この一連の動作中、套装片１５は、その先端が操作枠６の中央部片６ａに圧接した状態を維持し、前記後部開口部ａを閉塞状態を維持する。
【００２０】
操作枠６に対する押圧を解放すると、復帰スプリング１０，１２によって各部は原位置に復帰する。
【００２１】
そして、軸７を中心に操作枠６を後方に反転させると、操作枠６には仲介片１３を介して針操作枠５を接続してあるので、該針操作枠５は主軸３を中心にして反転起立し、現状位置に存する針収容枠４の上面側は開放され、綴り針の装填が行われる状態となるのである。この綴り針の装填時に行われる操作枠６の軸７を中心とする前記反転操作時に、前記後部開口部ａを閉塞した套装片１５の係止部片１５ｄ側の先端は操作枠６の反転に伴って前記移動路（間隙）２０を相対的に移動して、操作枠６に伴われて反転してきた針操作枠５の本体枠５Ａの上部片５Ａ´に接し、該上部片５Ａ´に相対的に摺接し、反転操作の最終段階時に上部片５Ａ´に設けた受止孔１４に係止する。
【００２２】
なお、係止部片１５ｄが針操作枠部５Ａ側の受止孔１４に係止したとき、套装片１５は、操作枠６の中央部片６ａの後端縁に押圧されてヒンジ部２２を境として先端側がわずかに反転し（反り返り）、操作枠６の動きに追従して破損しないようにしてある。
【００２３】
携帯用ステープラは、概し、実施例でいう針操作枠（本体枠）と針収容枠および基枠の３部材を後端部において回動自在に枢着した構成を採るが、左様な３部材（実施例では４部材ということになるが）で構成したステープラに本発明を適用しても不都合はない。
【図面の簡単な説明】
【００２４】
【図１】一部を省略して示した縦断面図。
【図２】図１の側面図。
【図３】套装片。
【符号の説明】
【００２５】
１      基枠
５      針収容枠
６      操作枠
１５    套装片
【図１】
2006102850.tif 000003
【図２】
2006102850.tif 000004
【図３】
2006102850.tif 000005